(57)【要約】【課題】双方向通信インターフェースによる信号伝送時の伝送速度を向上するとともに、シンク機器からソース機器への音声信号を光デジタル信号により伝送する双方向通信インターフェースシステム及び信号伝送方法を提供する。【解決手段】実施形態において、双方向通信インターフェースは、第１の変換部と、光ケーブルと、第２の変換部と、を具備する。第１の変換部は、ソース機器からの映像信号及び音声信号の混合出力を光信号に変換する。光ケーブルは、第１の変換部が変換した光信号を伝送する。第２の変換部は、光ケーブルにより伝送された光信号を映像信号及び音声信号の混合出力に変換し、シンク機器に入力する。【選択図】図１
2012015649.tif 000002
【特許請求の範囲】
【請求項１】
ソース機器からの映像信号及び音声信号の混合出力を光信号に変換する第１の変換部と、
前記第１の変換部が変換した光信号を伝送する光ケーブルと、
前記光ケーブルにより伝送された光信号を映像信号及び音声信号の混合出力に変換し、シンク機器に入力する第２の変換部と、
を具備する双方向通信インターフェース装置。
【請求項２】
前記第１の変換部は、前記ソース機器のレセプタと接続するプラグを含み、前記ソース機器のレセプタが光ケーブルを用いる伝送方法とは異なるバージョンに準拠するレセプタである場合には、装着が困難である
請求項１記載の双方向通信インターフェース装置。
【請求項３】
前記第２の変換部は、前記シンク機器のレセプタと接続するプラグを含み、前記シンク機器のレセプタが光ケーブルを用いる伝送方法とは異なるバージョンに準拠するレセプタである場合には、装着が困難である
請求項１記載の双方向通信インターフェース装置。
【請求項４】
映像信号及び音声信号の混合信号を出力するソース機器と、
前記ソース機器からの前記混合出力を光信号に変換する第１の変換部と、前記第１の変換部が変換した光信号を伝送する光ケーブルと、前記光ケーブルにより伝送された光信号を映像信号と音声信号を含む混合信号に変換する第２の変換部と、を含む双方向通信インターフェース装置と、
前記第２の変換部からの前記混合信号を映像信号及び映像信号に分離するシンク機器と、
を具備する双方向通信インターフェースシステム。
【請求項５】
前記ソース機器のレセプタは、前記光ケーブルを用いる伝送方法の前記双方向通信インターフェースの前記第１の変換部のプラグ、及び前記双方向通信インターフェースとは伝送方法が異なる双方向通信インターフェースのプラグの双方と接続する
請求項４記載の双方向通信インターフェースシステム。
【請求項６】
前記シンク機器のレセプタは、前記光ケーブルを用いる伝送方法の前記双方向通信インターフェースの前記第２の変換部のプラグ、及び前記双方向通信インターフェースとは伝送方法が異なる双方向通信インターフェースのプラグの双方と接続する
請求項４記載の双方向通信インターフェースシステム。
【請求項７】
前記ソース機器は、前記光ケーブルを用いる伝送方法の前記双方向通信インターフェースの前記第１の変換部のプラグが前記レセプタに接続されたことを、前記第１の変換部が含む記憶部に格納されている識別子を参照して、検出する
請求項４または５記載の双方向通信インターフェースシステム。
【請求項８】
前記シンク機器は、前記光ケーブルを用いる伝送方法の前記双方向通信インターフェースの前記第２の変換部のプラグが前記レセプタに接続されたことを、前記第２の変換部が含む所定の端子の端子電圧の大きさに基づいて、検出する
請求項４または５記載の双方向通信インターフェースシステム。
【請求項９】
ソース機器からの映像信号及び音声信号の混合出力を光信号に変換し、
変換された光信号を光ファイバーにより伝送し、
光ファイバーにより伝送された光信号を映像信号及び音声信号の混合出力に変換して、シンク機器に入力する
双方向通信インターフェース装置による信号伝送方法。
【発明の詳細な説明】
【技術分野】
【０００１】
本発明の実施の形態は、双方向通信インターフェース装置に関する。
【背景技術】
【０００２】
双方向通信インターフェース装置として、ＨＤＭＩ（High-definition Digital Media Interface）が広く利用されている。
【０００３】
ＨＤＭＩ自体も、後に制定されたＣＥＣ（Consumer Electronics Control）規格に続き、ＡＲＣ（Audio Return Channel，バージョン１．４）／ＨＥＣ（HDMI Ethernet Channel，バージョン１．４）等が制定されている。
【先行技術文献】
【特許文献】
【０００４】
【特許文献１】特開２００２−３３１５１号公報
【発明の概要】
【発明が解決しようとする課題】
【０００５】
ＨＤＭＩバージョン１．４では、映像信号及び音声信号について、高速のイーサネット（登録商標）通信が実現しているが、伝送速度をより高める要求がある。また、ＡＲＣ（バージョン１．４）により、シンク（sink）機器からソース（source）機器への音声出力の入力も単一のＨＤＭＩケーブルにより伝送可能となったが、シンク機器の光デジタル音声出力を直接ソース機器に出力することはできない。
【０００６】
本発明の目的は、双方向通信インターフェースによる信号伝送時の伝送速度を向上するとともに、シンク機器からソース機器への音声信号を光デジタル信号により伝送する双方向通信インターフェース装置、双方向通信インターフェースシステム及び信号伝送方法を提供することである。
【課題を解決するための手段】
【０００７】
実施形態によれば、双方向通信インターフェースは、第１の変換部と、光ケーブルと、第２の変換部と、を具備する。第１の変換部は、ソース機器からの映像信号及び音声信号の混合出力を光信号に変換する。光ケーブルは、第１の変換部が変換した光信号を伝送する。第２の変換部は、光ケーブルにより伝送された光信号を映像信号及び音声信号の混合出力に変換し、シンク機器に入力する。
【図面の簡単な説明】
【０００８】
【図１】実施形態の一例を示す概略図。
【図２】実施形態の一例を示す概略図。
【図３Ａ】実施形態の一例を示す概略図。
【図３Ｂ】実施形態の一例を示す概略図。
【図４】実施形態の一例を示す概略図。
【図５】実施形態の一例を示す概略図。
【図６】実施形態の一例を示す概略図。
【図７】実施形態の一例を示す概略図。
【発明を実施するための形態】
【０００９】
以下、実施の形態について図面を参照して説明する。
【００１０】
図１は、実施形態を適用する録画再生装置とその録画再生装置に接続する映像表示装置の一例を示す。なお、以下に説明する各要素／構成は、ハードウエアで実現するものであってもよいし、マイクロコンピュータ（処理装置，ＣＰＵ）等を用いてソフトウエアで実現するものであってもよい。
【００１１】
双方向通信インターフェース、例えばＨＤＭＩ（High-definition Digital Media Interface）１０１は、両端部のプラグ（Plug，ケーブル側コネクタ）１１１相互間に、例えば光ファイバーである光伝送ケーブル１２１を含む。ＨＤＭＩ１０１は、現行のバージョン１．４（ＡＲＣ／ＨＥＣ）をサポートするとともに、光デジタル音声信号の伝送が可能である。
【００１２】
ＨＤＭＩ１０１は、一方のプラグ１１１にコンテンツすなわち番組あるいはプログラムを再生する録画再生装置２０１が、他の一方のプラグ１１１に映像表示装置（モニター装置またはディスプレイあるいはテレビ受信装置）３０１が、それぞれ接続される。録画再生装置２０１は、ソース（source）機器と、呼称される。映像表示装置３０１は、ソース機器（録画再生装置２０１）に対してシンク（sink）機器と、呼称される。
【００１３】
ソース機器（録画再生装置）２０１は、コンテンツすなわち番組あるいはプログラムの映像（Video，ビデオ）信号及び音声（Audio，オーディオ）信号を記録し、再生するレコーダー装置あるいはコンテンツの再生のみが可能なプレーヤー装置、ゲーム装置あるいはビデオカメラ等であってもよい。ソース機器２０１はまた、パーソナルコンピュータ（Personal Computer，ＰＣ）や、ＰＣに接続可能で、例えばＤＶＤ規格／ＣＤ規格等の光ディスクが保持するデータ（コンテンツ）を再生するデータ再生装置（光ディスクドライブ装置）、例えばＳＳＤ（Solid State Drive，半導体メモリ装置）からデータ（コンテンツ）の読み出しが可能なリーダーライター（データ再生装置）、ＳＳＤ等のメモリ装置を有し、携帯可能な携帯端末装置もしくはデジタルフォトカメラ装置あるいは携帯電話装置、あるいは自動車等に搭載もしくはユーザが携帯することのできるナビゲーション装置であってもよい。
【００１４】
ソース機器２０１は、ＨＤＭＩ１０１の一方のプラグ１１１と接続するＨＤＭＩインターフェース部２１１を含む。インターフェース部２１１は、ＨＤＭＩ１０１のプラグ１１１が接続可能なレセプタ（Receptacle，機器側コネクタ）２２１を含む。
【００１５】
シンク機器３０１は、ＨＤＭＩ１０１の他の一方のプラグ１１１と接続するＨＤＭＩインターフェース部３１１を含む。インターフェース部３１１は、ＨＤＭＩ１０１の他の一方のプラグが接続可能なレセプタ（機器側コネクタ）３２１を含む。
【００１６】
ＨＤＭＩ１０１のプラグ１１１は、図５により後段に説明するが、現行のバージョン１．４をサポートする現行タイプのレセプタ（以下、レセプタＸと呼称する）に対しては非結合（レセプタＸには入らない）形状を有する。プラグ１１１の形状を、レセプタＸと非結合形状とすることで、ＨＤＭＩ１０１が現行のバージョン１．４に比較して機能が追加されているタイプであることを、形状の特徴から明示できる。同形状の特徴により、レセプタＸを有するソース機器あるいはシンク機器に対し、ＨＤＭＩ１０１を誤って接続することが防止できる。
【００１７】
プラグ１１１の形状の特徴は、例えばレセプタ２２１（ソース機器側インターフェース部２１１）及びレセプタ３２１（シンク機器側インターフェース部３１１）に設ける凹部と対応する凸部等、により実現できる。プラグ１１１の凸部は、例えばレセプタ２２１及び３２１の凹部に、（プラグの）凸部からの圧力によりオンになるスイッチまたは凸部の存在を検出する機構（フォトインタラプタ等）を設けることで、容易に検出可能である。
【００１８】
レセプタ２２１（ソース機器２０１）及びレセプタ３２１（シンク機器３０１）は、図４及び図５により後段に説明するが、現行のバージョン１．４に準拠するプラグ（以下、プラグＸと呼称する）が装着可能である。この形状の特徴により、プラグＸを有する現行のバージョン１．４のＨＤＭＩケーブルを用いる接続が可能であり、現行のバージョン１．４の範囲で、ソース機器とシンク機器との間の接続に、互換性を得ることができる。
【００１９】
図２は、ＨＤＭＩ１０１の構成及び信号の受け渡しを示す。
【００２０】
図２は、ソース機器２０１のインターフェース部２１１のレセプタ２２１とシンク機器３０１のインターフェース部３１１のレセプタ３２１とを、ＨＤＭＩ１０１により接続した状態を示す。
【００２１】
ソース機器２０１側のレセプタ２２１は、Ｒ（赤），Ｇ（緑），Ｂ（青）及びＣＫ（クック）からなる４つのＴＭＤＳ（Transition-Minimized Differential Signaling：遷移時間最短差動信号伝送方式）チャネルを一つのチャネルに混在させる混合部（ＭＵＸ）２２２、その逆の一つのチャネルに混在した信号を、同じく４つのＴＭＤＳチャネルに分離する分離部（ＤｅＭＵＸ）２２３、及び電源（５Ｖライン）２２４を含む。
【００２２】
シンク機器３０１側のレセプタ３２１は、（ソース側レセプタ２２１同様）４つのＴＭＤＳチャネルを一つのチャネルに混在させる混合部（ＭＵＸ）３２２、その逆の一つのチャネルに混在した信号を４つのＴＭＤＳチャネルに分離する分離部（ＤｅＭＵＸ）３２３、及び電源（５Ｖライン）３２４を含む。また、シンク機器３０１側のレセプタ３２１は、シンク機器の性能（再生能力）をソース機器側で判別可能とするための、ＥＤＩＤ（Extended Display Identification Data）３２５を含むことは、現行のバージョン１．４と同等である。なお、ＥＤＩＤ２５は、シンク機器（ＴＶ受信装置）３０１の性能情報（例えば、ＴＶ受信装置の受信可能タイミングは１０８０ｐまで等）であり、ソース機器２０１からの読み出しコマンドに従い、ソース機器２０１が取得可能である。
【００２３】
ＨＤＭＩ１０１の一端のプラグ１１１（以下、現行のバージョン１．４対応のプラグとの識別のため、プラグＹと呼称することもある）は、接続先であるソース機器２０１（またはシンク機器３０１）のレセプタ（レセプタＹ）は、接続相手先のレセプタ（レセプタＹ）のＭＵＸ（混合部）からの出力を光信号に変換する光信号生成部１１３、他の一端のプラグ１１１を介して光ファイバー１２１を経由して伝送されてきた接続相手先からの光信号を電気信号に変換する光電変換部１１５、及びソース側機器のレセプタＹの電源（２２４）から５Ｖの電圧を受ける端子（コンタクト）１１７、等を含む。なお、プラグ１１１のいずれか一方には、ＨＤＭＩ１０１が準拠するバージョン及びタイプを示す識別子１０１ａを保持したＥＥＰＲＯＭ１１９が組み込まれているので、後段に説明する信号伝送時に、現行のバージョン１．４と識別可能である。
【００２４】
光信号生成部（光電変換部）１１３は、光電変換部、例えばレーザダイオードを含み、送信元であるソース機器２０１（またはシンク機器３０１）のレセプタ（レセプタＹ）の出力を光電変換して光ファイバー１２１に入力する。
【００２５】
光電変換部１１５は、光ファイバー１２１により伝送されてきた接続相手先であるシンク機器３０１（またはソース機器２０１）からの光信号を電気信号に変換し、レセプタ内のＤｅＭＵＸ（分離部）に入力する。
【００２６】
図２において、ＭＵＸ２２２で混合されたソース機器２０１の送信出力は、端子１１７により一方のプラグ１１１に案内され、光信号生成部（光電変換部）１１３により変調光出力に変換されて、光ファイバー１２１に入力される。
【００２７】
光ファイバー１２１により他の一方のプラグ１１１に案内された光変調出力は、光電変換部１１５により電気信号に変換され、端子１１７によりシンク機器３０１のＤｅＭＵＸ３２３に出力される。
【００２８】
ＭＵＸ３２２で混合されたシンク機器３０１の送信出力は、端子１１７によりシンク機器３０１側のプラグ１１１に案内され、光信号生成部１１３により変調光出力に変換されて、光ファイバー１２１に入力される。
【００２９】
光ファイバー１２１によりソース機器２０１側のプラグ１１１に案内された光変調出力は、光電変換部１１５により電気信号に変換され、端子１１７によりソース機器２０１のＤｅＭＵＸ２２３に出力される。
【００３０】
より詳細には、ＭＵＸ２２２または３２２に入力される信号は、図３Ａに示す通り、ビデオ信号Ｒ、Ｇ、Ｂ及びクロック信号ＣＫであり、それぞれの信号は、ＴＭＤＳ処理部２２６（または３２６）において、８ビットから１０ビットに変換され、ＴＭＤＳ処理部２２６（または３２６）の対応するチャネルに出力される。ＴＭＤＳの各チャネルの出力は、ＭＵＸ２２２（または３２２）へ入力され、時分割多重で一つのチャネル出力として混合される。
【００３１】
混合された信号は、上述の光電変換部（光信号生成部）１１３を介して、電気信号から光信号へ変換されて、光ケーブル（１２１）等で伝送される。
【００３２】
ＤｅＭＵＸ３２３または２２３に入力される信号は、図３Ｂに示す通り、図３Ａに示した処理の逆処理であり、光ケーブル（１２１）等で伝送されてきた光信号を、光電変換部１１５で電気信号へ変換し、変換した電気信号を、ＤｅＭＵＸ３２３（２２３）で各ＴＭＤＳチャネルへ分離するものである。ＤｅＭＵＸ３２３（２２３）で分離されたＴＭＤＳチャネルのそれぞれの信号は、ＴＭＤＳ処理部３２６（または２２６）において、それぞれ、１０ビットから８ビットに変換することで、ビデオ信号Ｒ、Ｇ、Ｂ及びクロック信号ＣＫの出力信号を得ることができる。
【００３３】
図２に示すレセプタＹは、現行のバージョン１．４をサポートするプラグＸによる信号の伝送も可能である。
【００３４】
プラグＸは、図５に示す通り、レセプタＹに接続可能である。プラグＸが挿入された場合、ソース機器２０１のインターフェース部２１１のレセプタ２２１及びシンク機器３０１のインターフェース部３１１のレセプタ３２１は、プラグ１１１にのみ用意されている凸部を検出できないため、プラグＸに固有の端子（コンタクト）に出力されるバージョン１．４相当の信号レベルにより、プラグＸであることを検出する。
【００３５】
図４に示す通り、ソース機器２０１側のレセプタＹ（２２１）に、現行のバージョン１．４をサポートするプラグＸが接続された場合、ＴＭＤＳ処理部２２６の各チャネルの出力であるビデオ信号のＲ、Ｇ、Ｂ及びクロック信号ＣＫは、ＭＵＸ２２２を通らずに端子１１７で接続されたケーブル部（光ファイバー１２１との識別のため、以下、ケーブルＸと呼称する）を通じてシンク機器３０１側のレセプタＹ（３２１）へ伝送される。その他の信号（制御信号、電源、グランド等）も、ケーブル部Ｘを通じてシンク機器３０１側に接続する。
【００３６】
シンク機器３０１側のレセプタＹ（３２１）に、プラグＸ（バージョン１．４）が接続された場合、ＴＭＤＳ処理部３２６の各チャネルの出力であるビデオ信号のＲ、Ｇ、Ｂ及びクロック信号ＣＫは、ＭＵＸ３２２を通らずに端子１１７で接続されたケーブル部Ｘを通じてソース機器２０１側のレセプタＹ（２２１）へ伝送される。その他の信号（制御信号、電源、グランド等）も、端子１１７で接続されたケーブル部Ｘを通じてソース機器２３０１側に接続する。
【００３７】
この場合、ケーブル部Ｘが伝送可能な信号は電気信号となるが、ソース機器とシンク機器との接続については、現行のバージョン１．４の範囲で、互換性を得ることができる。
【００３８】
図５は、ＨＤＭＩ１０１のプラグ１１１とバージョン１．４対応（現行）のプラグ及びそれぞれに対応するレセプタＹの形状の特徴を示す。
【００３９】
図５において、タイプＸコネクタ（バージョン１．４対応、レセプタＸ）を［ａ］、タイプＸコネクタ（バージョン１．４対応、プラグＸ）を［ｂ］、タイプＹコネクタ（レセプタ２２１（３２１））を［ｃ］、及びタイプＹコネクタ（プラグ１１１）を［ｄ］とすると、示し、左側がレセプタ（受け側）、右側がプラグ（差込側）を示している。
【００４０】
図５から明らかなように、タイプＹコネクタ（［ｃ］／［ｄ］）は、コンタクト（接触子）部分全体の形状は、タイプＸコネクタ（現行のバージョン１．４（［ａ］／［ｂ］））と同じである。
【００４１】
タイプＹコネクタであるプラグ１１１（［ｄ］）は、タイプＸコネクタのレセプタＸに嵌合しないよう、結合部分（コンタクト部分の一部）もしくは周囲のモールド（樹脂）部分に、突起（凸）部１１１ａを有する。
【００４２】
タイプＹコネクタであるレセプタ２２１または３２１（［ｃ］）は、タイプＹコネクタのプラグ１１１の突起部１１１ａを受け入れる形状（凹部）２２１ａ（３２１ａ）を有し、プラグ１１１の突起部１１１ａと形状が合致して嵌合する。なお、プラグ側に突起がないタイプＸのプラグについても、これまで同様、嵌合することはいうまでもない。また、プラグ１１１の突起部（凸部）１１１ａの有無は、（プラグの）凸部からの圧力によりオンになるスイッチまたは凸部の存在を検出する機構（フォトインタラプタ等）により検出でき、突起部１１１ａがないタイプＸコネクタのプラグが接続された場合は、現行のバージョン１．４に準拠したＨＤＭＩケーブルに準じた信号の受け渡しが可能である。なお、プラグが現行のバージョン１．４に準拠していることが検出できた場合、例えばタイプＹ（上述のＨＤＭＩ１０１）の光電変換部（光信号生成部）１１３及び光電変換部１１５への電源（５Ｖ）の供給を停止する等により、省電力化も可能である。また、タイプＹコネクタを用いることで、現行のバージョン１．４をサポートするタイプＸコネクタについては省略可能となり、製品に用意すべきコネクタの数の低減を可能とする。これにより、コネクタ周りの省スペース化が実現できる。
【００４３】
図６は、ソース機器側に、ＨＤＭＩ１０１、すなわち現行のバージョン１．４相当の信号伝送に加え、光デジタル信号による信号伝送を可能としたケーブルであるタイプＹコネクタケーブルが接続されたことを検出する検出方法の一例を示す。
【００４４】
図６において、ソース機器（図１に「２０１」で示されている）で生成された送信信号は、ビデオ信号Ｒ、Ｇ、Ｂの各信号をエンコードするエンコーダ部２３０によりエンコードされたビデオ信号とクロック信号ＣＫがＭＵＸ（混合部）２２２で混合され、混合された電気信号が、光電変換器１１３で光信号に変換され、送信チャネルＣｈ０としてＨＤＭＩ１０１（光ファイバー１２１）により、シンク機器に伝送される。
【００４５】
シンク機器からの信号を受信した受信信号は、受信チャネルＣｈ１として、ＨＤＭＩ１０１を通じて光電変換器１１５に入力され、電気信号に変換される。光電変換器１１５により電気信号に変換された受信信号は、ＤｅＭＵＸ（分離部）２２３によりクロック信号ＣＫと（シンク機器側でエンコードされた）ビデオ信号とに分離される。分離されたビデオ信号は、デコーダ部２４０でデコードされ、ビデオ信号Ｒ、Ｇ、Ｂとして、例えばバッファメモリ（図示しない）に格納される。
【００４６】
なお、信号の伝送時には、識別子１０１ａの有無に従い、ＨＤＭＩ１０１が光ケーブル１２１を含むことが確認される。識別子１０１ａの有無は、ソース機器２０１のインターフェース部２１１のレセプタ２２１において、（ＨＤＭＩ１０１の）プラグ１１１に電源（５Ｖ）を供給した時点のＨＰＤ（Hot Plug Detect，ホットプラグディテクト（シンク機器接続検出））によりＥＥＰＲＯＭ１１９が用意されていることを検出し、ＥＥＰＲＯＭ１１９が保持する識別子１０１ａを信号ラインＤＤＣ（Display Data Channel）を経由して取得し、取得した識別子１０１ａをμコン（マイコン）２５０で判定することで、確認できる。
【００４７】
図７は、シンク機器側に、ＨＤＭＩ１０１、すなわち現行のバージョン１．４相当の信号伝送に加え、光デジタル信号による信号伝送を可能としたケーブルであるタイプＹコネクタケーブルが接続されたことを検出する検出方法の一例を示す。
【００４８】
図７において、シンク機器（図１に「３０１」で示されている）が送信するビデオ信号Ｒ、Ｇ、Ｂは、エンコーダ部３３０によりエンコードされ、ＭＵＸ３２２によりクロック信号ＣＫと混合され、光電変換器（光信号生成部）１１３により光信号に変換される。光信号に変換された送信信号は、送信チャネルＣｈ１としてＨＤＭＩ１０１（光ファイバー１２１）によりソース機器に伝送される。
【００４９】
ＨＤＭＩ１０１を介して受信チャネルＣｈ０として受信したソース機器からの信号は、光電変換器１１３で電気信号に変換され、ＤｅＭＵＸ３２３により、クロック信号ＣＫと（ソース機器においてエンコードされた）ビデオ信号とに分離され、（ビデオ信号は、）デコーダ部３４０において、ビデオ信号Ｒ、Ｇ、Ｂにデコードされ、例えばバッファメモリ（図示しない）に格納される。
【００５０】
なお、信号の伝送時には、シンク機器３０１のインターフェース部３１１のレセプタ３２１に用意されているユーティリティ（Utility）端子３６０の端子電圧をμコン（マイコン）３５０で判定することで、ＨＤＭＩ１０１が光ケーブル１２１を含むことが確認される。
【００５１】
一例として、ユーティリティ端子３６０を、抵抗Ｒ２を介してＧＮＤ（グランド）に接続し、電源（５Ｖ）を、抵抗Ｒ１を介してユーティリティ端子３６０と接続することにより、タイプＹコネクタが接続された場合には、以下の分圧式が成り立つ（Ｖｏｕｔを得ることができる）。
【００５２】
Ｖｏｕｔ  ＝  （Ｒ２／（Ｒ１＋Ｒ２））  ×  Ｖｉｎ    
ここで、Ｖｉｎ  ＝  ５Ｖ    
Ｖｏｕｔ  ＝  Ｖｕｔｌ（ユーティリティラインの電圧）    
例えば、Ｖｉｎ＝５Ｖ、Ｒ１＝１ｋΩ、Ｒ２＝２ｋΩの場合、Ｖｏｕｔ＝Ｖｕｔｌ＝３．３Ｖとなり、予め定めた特定範囲を３．０Ｖ〜４．０Ｖとした場合、タイプＹコネクタが接続されたと判定することができる。なお、Ｖｕｔｌ（ユーティリティラインの電圧）は、シンク機器のインターフェース部３１１のレセプタ３２１において、μコン３５０に電圧検出器３７０が検出したＵｔｉｌｉｔｙラインの電圧Ｖｕｔｌを入力すればよい。
【００５３】
すなわち、電源（５Ｖ）電圧が、予め定めた特定範囲の電圧に変化することを検出し、検出した電圧が特定範囲内の電圧である場合に、ＨＤＭＩ１０１が光ケーブル１２１を含むことを確認できる。
【００５４】
以上説明した通り、実施形態のＨＤＭＩコネクタを有するＨＤＭＩインターフェースを用いて映像信号、音声信号及び制御信号を伝送するＨＤＭＩシステムは、光デジタル信号が伝送可能で、しかも現行のＨＤＭＩバージョン１．４に準拠するコネクタ（ケーブル）が装着された場合、現行のバージョンとしての信号伝送が可能である。これにより、コネクタの種類を低減でき、部品コスト低減および端子パネル面積の有効利用が可能である。
【００５５】
また、実施形態のＨＤＭＩコネクタを有するＨＤＭＩインターフェースを用いて映像信号、音声信号及び制御信号を伝送するＨＤＭＩシステムは、接続したＨＤＭＩコネクタ（ケーブル）のタイプが判別して、ケーブル特性すなわちＨＤＭＩのバージョンに適合する伝送方法を用いることができ、既存のＨＤＭＩ機器との互換性確保、及び光デジタル信号を用いるデータの高速化を実現することができる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１０１…双方向通信インターフェース（ＨＤＭＩ部）、２０１…録画再生装置（レコーダー装置／ソース機器）、３０１…映像表示装置（モニター装置またはディスプレイ／シンク機器）。
【図１】
2012015649.tif 000003
【図２】
2012015649.tif 000004
【図３Ａ】
2012015649.tif 000005
【図３Ｂ】
2012015649.tif 000006
【図４】
2012015649.tif 000007
【図５】
2012015649.tif 000008
【図６】
2012015649.tif 000009
【図７】
2012015649.tif 000010
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
ソース機器のレセプタと接続するプラグを含み、ソース機器が映像信号と音声信号とを独立に出力する第一の方式、ソース機器が映像信号及び音声信号の混合信号を出力する第二の方式のいずれかにより伝送信号を出力する場合において、ソース機器が第一の方式による伝送信号を出力する場合はソース機器のレセプタクルと接続しないための部材により接続せず、ソース機器からの第二の方式による伝送信号の出力を受け付け、映像信号及び音声信号の混合出力を光信号に変換する第１の変換部と、
ソース機器からの第二の方式による伝送信号の出力を前記第１の変換部が変換した光信号を伝送する光ケーブルと、
シンク機器のレセプタと接続するプラグを含み、シンク機器が第一の方式による伝送信号を受信する場合はシンク機器のレセプタクルと接続しないための部材により接続せず、前記光ケーブルにより伝送されたソース機器からの第二の方式による伝送信号の出力である光信号を映像信号及び音声信号の混合出力に変換し、シンク機器に入力する第２の変換部と、
を具備する双方向通信インターフェース装置。
【請求項２】
映像信号及び音声信号を独立に伝送する第一の方式及び映像信号及び音声信号を混合して伝送する第二の方式のいずれか一方により伝送信号を出力するソース機器と、
前記ソース機器のレセプタと接続するプラグを含み、前記ソース機器が映像信号と音声信号とを独立に出力する第一の方式、ソース機器が映像信号及び音声信号の混合信号を出力する第二の方式のいずれかにより伝送信号を出力する場合において、前記ソース機器が第一の方式による伝送信号を出力する場合は前記ソース機器のレセプタクルと接続しないための部材により接続せず、前記ソース機器からの第二の方式による伝送信号の出力を受け付け、映像信号及び音声信号の混合出力を光信号に変換する第１の変換部と、
前記ソース機器からの第二の方式による伝送信号の出力を前記第１の変換部が変換した光信号を伝送する光ケーブルと、
シンク機器のレセプタと接続するプラグを含み、シンク機器が第一の方式による伝送信号を受信する場合はシンク機器のレセプタクルと接続しないための部材により接続せず、前記光ケーブルにより伝送されたソース機器からの第二の方式による伝送信号の出力である光信号を映像信号及び音声信号の混合出力に変換し、シンク機器に入力する第２の変換部と、
含む双方向通信インターフェース装置と、
を具備する双方向通信インターフェースシステム。
【請求項３】
前記ソース機器は、前記第１の変換部が第一の方式に対応することを検出した場合、第二の方式に対応する機能を停止する請求項２記載の双方向通信インターフェースシステム。
【請求項４】
映像信号及び音声信号が独立して伝送される第一の方式及び映像信号及び音声信号が混合して伝送される第二の方式のいずれか一方により供給される伝送信号を受信するシンク機器と、
映像信号及び音声信号を独立に伝送する第一の方式及び映像信号及び音声信号を混合して伝送する第二の方式のいずれか一方により伝送信号を出力するソース機器のレセプタと接続するプラグを含み、ソース機器が映像信号と音声信号とを独立に出力する第一の方式、ソース機器が映像信号及び音声信号の混合信号を出力する第二の方式のいずれかにより伝送信号を出力する場合において、ソース機器が第一の方式による伝送信号を出力する場合はソース機器のレセプタクルと接続しないための部材により接続せず、ソース機器からの第二の方式による伝送信号の出力を受け付け、映像信号及び音声信号の混合出力を光信号に変換する第１の変換部と、
ソース機器からの第二の方式による伝送信号の出力を前記第１の変換部が変換した光信号を伝送する光ケーブルと、
シンク機器のレセプタと接続するプラグを含み、前記シンク機器が第一の方式による伝送信号を受信する場合は前記シンク機器のレセプタクルと接続しないための部材により接続せず、第二の方式による伝送信号を受信する場合に前記シンク機器のレセプタクルと接続して、前記光ケーブルにより伝送された光信号を映像信号及び音声信号の混合出力に変換し、シンク機器に入力する第２の変換部と、
含む双方向通信インターフェース装置と、   
を具備する双方向通信インターフェースシステム。
【請求項５】
前記シンク機器は、前記第２の変換部が第一の方式に対応することを検出した場合、第二の方式に対応する機能を停止する請求項４記載の双方向通信インターフェースシステム。
【手続補正３】
【補正対象書類名】明細書
【補正対象項目名】０００１
【補正方法】変更
【補正の内容】
【０００１】
本発明の実施の形態は、双方向通信インターフェース装置及び双方向通信インターフェースシステムに関する。
【手続補正４】
【補正対象書類名】明細書
【補正対象項目名】０００７
【補正方法】変更
【補正の内容】
【０００７】
実施形態によれば、双方向通信インターフェース装置は、第１の変換部と、光ケーブルと、第２の変換部と、を具備する。第１の変換部は、ソース機器のレセプタと接続するプラグを含み、ソース機器が映像信号と音声信号とを独立に出力する第一の方式、ソース機器が映像信号及び音声信号の混合信号を出力する第二の方式のいずれかにより伝送信号を出力する場合において、ソース機器が第一の方式による伝送信号を出力する場合はソース機器のレセプタクルと接続しないための部材により接続せず、ソース機器からの第二の方式による伝送信号の出力を受け付け、映像信号及び音声信号の混合出力を光信号に変換する。光ケーブルは、ソース機器からの第二の方式による伝送信号の出力を前記第１の変換部が変換した光信号を伝送する。第２の変換部は、シンク機器のレセプタと接続するプラグを含み、シンク機器が第一の方式による伝送信号を受信する場合はシンク機器のレセプタクルと接続しないための部材により接続せず、前記光ケーブルにより伝送されたソース機器からの第二の方式による伝送信号の出力である光信号を映像信号及び音声信号の混合出力に変換し、第二の方式で信号伝送された映像信号及び音声信号の混合信号を、シンク機器に入力する。
【手続補正５】
【補正対象書類名】明細書
【補正対象項目名】００５４
【補正方法】変更
【補正の内容】
【００５４】
以上説明した通り、実施形態のＨＤＭＩコネクタを有するＨＤＭＩインターフェースを用いて映像信号、音声信号及び制御信号を伝送するＨＤＭＩシステムは、光デジタル信号が伝送可能で、しかも現行のＨＤＭＩバージョン１．４に準拠するコネクタ（ケーブル）が装着された場合、現行のバージョンとしての信号伝送が可能である。これにより、コネクタの種類を低減でき、部品コスト低減および端子パネル面積の有効利用が可能である。
なお、実施形態は、以下のようにしても実現できる。例えば、 
映像信号及び音声信号を独立に伝送する第一の方式及び映像信号及び音声信号を混合して伝送する第二の方式により送信出力を出力するソース機器と、前記ソース機器のレセプタと接続するプラグを含み、前記ソース機器が映像信号と音声信号とを独立に出力する第一の方式、前記ソース機器が映像信号及び音声信号の混合信号を出力する第二の方式のいずれかにより伝送信号を出力する場合において、前記ソース機器が第一の方式による伝送信号を出力する場合は前記ソース機器のレセプタクルと接続しないための部材により接続せず、前記ソース機器からの第二の方式による伝送信号の出力を受け付け、映像信号及び音声信号の混合出力を光信号に変換する第１の変換部と、前記ソース機器からの第二の方式による伝送信号の出力を前記第１の変換部が変換した光信号を伝送する光ケーブルと、シンク機器のレセプタと接続するプラグを含み、シンク機器が第一の方式による伝送信号を受信する場合はシンク機器のレセプタクルと接続しないための部材により接続せず、前記光ケーブルにより伝送された前記ソース機器からの第二の方式による伝送信号の出力である光信号を映像信号及び音声信号の混合出力に変換し、シンク機器に入力する第２の変換部と、を具備する双方向通信インターフェース装置と、前記第２の変換部からの映像信号及び音声信号を受信するシンク機器と、を具備する双方向通信インターフェースシステムにおいて、前記ソース機器のレセプタは、前記光ケーブルを用いる伝送方法の前記双方向通信インターフェースの前記第１の変換部のプラグ、及び前記双方向通信インターフェースとは伝送方法が異なる双方向通信インターフェースのプラグの双方と接続することを特徴とする。 
上述の双方向通信インターフェースシステムにおいては、前記ソース機器は、前記光ケーブルを用いる伝送方法の前記双方向通信インターフェースの前記第１の変換部のプラグが前記レセプタに接続されたことを、前記第１の変換部が含む記憶部に格納されている識別子を参照して、検出するものである。 
また、実施形態は、以下のようにしても実現できる。例えば、 
映像信号及び音声信号を独立に伝送する第一の方式及び映像信号及び音声信号を混合して伝送する第二の方式により送信出力を出力するソース機器と、前記ソース機器のレセプタと接続するプラグを含み、前記ソース機器が映像信号と音声信号とを独立に出力する第一の方式、前記ソース機器が映像信号及び音声信号の混合信号を出力する第二の方式のいずれかにより伝送信号を出力する場合において、前記ソース機器が第一の方式による伝送信号を出力する場合は前記ソース機器のレセプタクルと接続せず、前記ソース機器からの第二の方式による伝送信号の出力を受け付け、映像信号及び音声信号の混合出力を光信号に変換する第１の変換部と、前記ソース機器からの第二の方式による伝送信号の出力を前記第１の変換部が変換した光信号を伝送する光ケーブルと、シンク機器のレセプタと接続するプラグを含み、シンク機器が第一の方式による伝送信号を受信する場合はシンク機器のレセプタクルと接続せず、前記光ケーブルにより伝送された前記ソース機器からの第二の方式による伝送信号の出力である光信号を映像信号及び音声信号の混合出力に変換し、シンク機器に入力する第２の変換部と、を具備する双方向通信インターフェース装置と、前記第２の変換部からの映像信号及び音声信号を受信するシンク機器と、を具備する双方向通信インターフェースシステムにおいて、前記シンク機器のレセプタは、前記光ケーブルを用いる伝送方法の前記双方向通信インターフェースの前記第２の変換部のプラグ、及び前記双方向通信インターフェースとは伝送方法が異なる双方向通信インターフェースのプラグの双方と接続することを特徴とする。 
上述の双方向通信インターフェースシステムにおいては、前記シンク機器は、前記光ケーブルを用いる伝送方法の前記双方向通信インターフェースの前記第２の変換部のプラグが前記レセプタに接続されたことを、前記第２の変換部が含む所定の端子の端子電圧の大きさに基づいて、検出する。 
また、実施形態は、以下のようにしても実現できる。例えば、 
双方向通信インターフェース装置による信号伝送方法においては、ソース機器からの映像信号及び音声信号の混合出力を光信号に変換し、変換された光信号を光ファイバーにより伝送し、光ファイバーにより伝送された光信号を映像信号及び音声信号の混合出力に変換して、シンク機器に入力することができる。